(57)【要約】【課題】異なる方向から観測される複数の映像の画質調整を独立して行うことが可能な表示装置を提供する。【解決手段】第１の方向から観察される第１の映像と第２の方向から観察される第２の映像とを同時に表示可能な表示パネル（１）と、第１および第２の映像ソース（２、３）に接続され各映像ソースからの情報を表示パネル上に表示させる表示パネル駆動部（４）とを備える表示装置において、表示パネル駆動部に、表示パネルに表示される第１および第２の映像の画質を独立して調整する画質調整部（４１、４２、５１）を設ける。【選択図】図１
2006184916.tif 000002
【特許請求の範囲】
【請求項１】
第１の方向から観察される第１の映像と第２の方向から観察される第２の映像とを同時に表示可能な表示パネルと、
第１および第２の映像ソースに接続され前記各映像ソースからの情報を前記表示パネル上に表示させる表示パネル駆動部とを備える表示装置において、
前記表示パネル駆動部は、前記表示パネルに表示される前記第１および第２の映像の画質を独立して調整する画質調整部を備えることを特徴とする、表示装置。
【請求項２】
請求項１に記載の表示装置において、前記表示パネル駆動部はさらに、前記表示パネルに表示される前記第１および第２の映像の画面サイズを独立して調整する画面サイズ調整部を備えることを特徴とする、表示装置。
【請求項３】
請求項１または２に記載の表示装置において、前記表示パネル駆動部はさらに、前記画質調整部において設定された情報を前記第１および第２の映像に対して別個に表示する設定値表示回路を備えることを特徴とする、表示装置。
【請求項４】
請求項１乃至３の何れか１項に記載の表示装置において、入力手段を備え、前記入力手段により調整値の設定が可能であることを特徴とする、表示装置。
【請求項５】
請求項１乃至４の何れか１項に記載の表示装置において、前記表示パネル駆動部はさらに記憶部を備え、前記画質調整部における設定値を該記憶部に記憶することを特徴とする、表示装置。
【請求項６】
請求項５に記載の表示装置において、前記画質調整部は、前記記憶部に記憶された前記第１の映像ソースに対する設定値を前記第２の映像ソースに対して設定可能であることを特徴とする、表示装置。
【発明の詳細な説明】
【技術分野】
【０００１】
本発明は、複数の方向から別個に観察可能な複数の映像を、同一パネル上に同時に表示することが可能な表示装置、いわゆるマルチビュー表示装置に関する。
【背景技術】
【０００２】
左右の観察者に対して別個の映像を同一の表示パネルを介して提供することが可能な、いわゆるマルチビュー表示装置が実現されている。特許文献１に、このような装置の一例が記載されている。この装置では、３次元画像を見るために必要なメガネを用いることなく、パネルの左側および右側から別個の映像を観察することが可能である。そのため、複数のユーザによって異なる映像が同時に観察される。
【０００３】
上記の表示装置を車両内に取り付けた場合、運転者はこの装置にナビゲーション情報を表示させ、助手席に座った人間はテレビ映像あるいはＤＶＤ映像等を表示させることができる。そのため、運転者は運転に専念でき、助手席の人間は退屈することが無いので、車載用の表示装置として好ましいものとなる。
【０００４】
【特許文献１】特開平２００４−２０６０８９
【発明の開示】
【発明が解決しようとする課題】
【０００５】
マルチビュー表示装置では、上述したように、各画面にナビゲーション情報とＤＶＤ映像のようなそれぞれ性質の異なる映像を表示するのが一般的な使用方法である。したがって、各画面に表示される映像の色調はそれぞれに異なり、ユーザは各画面を自身が見る映像に応じて任意に設定することを望む。ところが従来のマルチビュー表示装置では、画質調整回路は表示パネル全体の色調を調整するものであり、画質を調整するための各種の表示設定（ブライトネス、コントラスト、シャープネス等）を１つの表示パネルに対して１つしか行うことができない。その結果、例えば運転席と助手席側で別個に観察される映像ソースに対して、それぞれに最適なあるいは好みの表示画質の設定を行うことができない。
【０００６】
本発明は、従来のマルチビュー表示装置における上記の欠点を解決する目的でなされたもので、表示パネル上に同時に表示される複数の映像に対して、個々に独立した画質調整を行うことが可能な表示装置を提供することを課題とする。
【課題を解決するための手段】
【０００７】
本発明の表示装置は、上記課題を解決するために、第１の方向から観察される第１の映像と第２の方向から観察される第２の映像とを同時に表示可能な表示パネルと、第１および第２の映像ソースに接続され前記各映像ソースからの情報を前記表示パネル上に表示させる表示パネル駆動部とを備え、前記表示パネル駆動部が、前記表示パネルに表示される前記第１および第２の映像の画質を独立して調整する画質調整部を備えて構成される。
【０００８】
また、前記表示パネル駆動部はさらに、前記表示パネルに表示される前記第１および第２の映像の画面サイズを独立して調整する画面サイズ調整部を備えている。
【０００９】
さらに、前記表示パネル駆動部は、前記画質調整部において設定された情報を前記第１および第２の映像に対して別個に表示する設定値表示回路を備えている。また入力手段を備え、前記入力手段により調整値の設定が可能である。
【００１０】
前記表示パネル駆動部はさらに記憶部を備え、前記画質調整部における設定値を該記憶部に記憶する。また、前記画質調整部は、前記記憶部に記憶された前記第１の映像ソースに対する設定値を前記第２の映像ソースに対して設定可能である。
【発明の効果】
【００１１】
上記本発明の装置によれば、画質調整部は、それぞれの方向に表示する映像データに対して独立した画質設定が可能であるため、ユーザは、他画面の画質に影響を及ぼすことなく自身が見ている映像に適した画質を選択し設定することができる。また、画像サイズ設定部は、各方向の映像毎にその画面サイズを独立して調整することが可能であるため、ユーザは他画面の画面サイズに影響を及ぼすことなく、自身が見ている映像に適した画像サイズを選択し設定することができる。その結果、よりユーザフレンドリーな表示装置が実現される。
【００１２】
また、映像の画質設定情報をそれぞれの画面上で表示すること、設定値を記憶部に記憶しておき次回の画質設定に利用可能とすること等により、より使い勝手の良い表示装置を実現することができる。
【発明を実施するための最良の形態】
【００１３】
図１は、本発明の第１実施形態にかかるマルチビュー表示装置の回路構成を示すブロック図である。図において、１はマルチビュー表示のための表示パネルであり、パネルに対して例えば左側および右側から観察可能な２種類の映像を同時に表示することができるものである。この表示パネルは、前記の特許文献１に記載された構造の表示パネルを使用して実現が可能である。
【００１４】
図２は、表示パネル１において同時に表示される２種類の画面１１、１２がどのようにユーザに観察されるかを示す図である。図示する様に、表示パネル１の左側から見るユーザには、画面１１が観察され、右側から見るユーザには画面１２が観察される。左側のユーザには画面１２は観察されず、右側のユーザには画面１１は観察されない。そのため、左側のユーザは、右側のユーザの視線を気にすることなく自身の好みの映像を見ることができ、右側のユーザは左側のユーザの視線を気にすることなく自身の好みの映像を見ることができる。
【００１５】
図１において、２および３は第１および第２の外部映像ソースを示す。４は、表示パネル駆動部であり、第１、第２の外部映像ソース２、３から入力された映像信号のデータを処理して表示パネル１を駆動する信号を生成する。表示パネル駆動部４は、左側画面１１のための画質調整回路４１、右側画面１２のための画質調整回路４２および表示パネル駆動回路４３を含んでいる。画質調整回路４１は、第１の映像ソース２の画質を、例えばブライトネス、コントラスト、シャープネス等について調整する機能を有する。同様に、画質調整回路４２は、第２の映像ソース３の画質を、ブライトネス、コントラスト、シャープネス等について調整する。調整後の信号は表示パネル駆動回路４３に入力され、表示パネル１上で画面１１、１２を表示すべく信号処理される。
【００１６】
上記図１に示す装置では、外部映像ソース２および３に対してそれぞれ画質調整回路４１、４２が設けられているので、異なるソース２、３からの映像信号に対して独立に画質調整が可能である。そのため、画面１１、１２において、個々に最適調整された画質を有する映像が表示され、ユーザは快適に映像を見ることができる。
【００１７】
図３は、本発明の第２実施形態にかかるマルチビュー表示装置の回路構成を示すブロック図である。なお、本図において、図１、２と共通の符号は同一または類似の構成要素を示すのでその重複した説明は省略する。図において、５は本実施形態の特徴を示す表示パネル駆動部であり、６は例えばリモコンの操作キー、あるいはタッチパネル入力手段などで構成される外部入力装置を示す。
【００１８】
表示パネル駆動部５は、画質調整回路５１、画面サイズ調整回路５２、表示パネル駆動回路５３、ＣＰＵ５４、設定値表示回路５５およびメモリ５６を備えている。図１に示す実施形態の様に、画質調整回路４１、４２を第１および第２の映像ソース２および３に対して独立して設ける構造では回路規模が大きくなる問題点がある。本実施形態では、この問題を解決するために、１個の画質調整回路５１をタイミング調整して用いることにより、第１、第２の映像ソース２、３からの異なる映像信号に別個の画質調整を可能としたものである。なお、この場合のタイミング調整については後述する。
【００１９】
また本実施形態の装置では、画面サイズ調整回路５２を設けることによって、個々の画面１１、１２の独立した画面サイズ調整を可能としている。画面サイズも、映像ソースによりノーマル画面、ワイド画面、フル画面等種々のものが存在する。したがってユーザは、自己が見ている画面を映像ソースに適したものに設定することにより快適な映像の視聴が可能となるが、従来の装置では画面サイズ調整によって他方の画面サイズも変更されてしまうので、自己の都合により自由に画面設定を行うことができなかった。
【００２０】
本実施形態では、画面サイズを個々の映像ソースに対して独立に調整することが可能な画面サイズ調整回路５２を設けているので、他画面への影響を心配することなく、ユーザ自身が見ている画面のサイズ調整が可能となり、ユーザの快適な視聴を促進する。なお、画面サイズ調整回路５２も画質調整回路５１と同様に、１個の回路５２をタイミング調整して用いることによって、別個の画面１１、１２の独立したサイズ調整を可能としている。
【００２１】
画質調整のための設定値は、外部入力装置６を用いてユーザによって設定される。この設定情報はＣＰＵ５４に導入され、ＣＰＵ５４では入力情報に基づいて画質調整回路５１および画面サイズ調整回路５２を制御するための信号を生成し、回路５１、５２に出力する。画質調整回路５１および画面サイズ調整回路５２は、ＣＰＵ５４から出力された制御信号に基づいて第１、第２の映像ソース２、３からの映像データを処理することにより、各画面１１、１２の画質調整、画面サイズ調整を行う。
【００２２】
ＣＰＵ５４はさらに設定値表示回路５５に制御信号を出力し、外部入力装置６を介して入力されたユーザの設定情報を、対応する画面１１あるいは１２上に表示させる。
【００２３】
図４は、画質調整しようとする画面１１上に、ユーザの設定情報を表示させた場合のパネル画面を示している。今、表示パネル１の左側に位置するユーザが、自身が見ている画面をリモコン等を介して画質調整しようとする場合、左側画面１１上にユーザの設定情報、即ちコントラスト５０、ブライトネス５０が表示される。これによって、ユーザは自身の設定の詳細を確認しながら画質調整を行うことができる。この表示は、設定を行うユーザが見ることができる画面１１上にのみ表示され、他方の画面上には表示されないので、他画面を視聴中のユーザは画質設定中のユーザの行為に影響を受けず、自身の視聴を続けることができる。
【００２４】
さらに、外部入力装置６における入力の方法によっては、例えば右側画面の画質調整の詳細を左側画面上に表示しながら、右側画面の画質調整を行うことができる。即ち、左側のユーザが左側の画面１１’を見ながら、右側の画面の画質調整を行うことが可能である。この場合、設定値表示回路５５によって、例えば図４に示す様に、左側画面１１’上に右側画面の調整を行っていることを表示することにより、ユーザがどちらの画面を調整しているかの確認が容易となる。
【００２５】
図３に示す装置では、外部入力装置６からの入力情報、画質調整回路５１における画質調整値、画面サイズ調整回路５２における画面サイズ調整値がメモリ５６に記憶される。記憶されたこれらの設定値は、ユーザによる次回の画質調整、画面サイズ調整に利用される。すなわち、次回の画質調整を行う場合、まずメモリ５６に記憶された設定値に基づいて画質および画面サイズを初期設定し、かつ初期設定値を画面上に表示させる。これによってユーザは前回の設定の上に立って新たな設定を開始できるので、前回と同じ設定を望む場合は調整作業が必要なく、あるいは前回の設定値を参考にしながら新たな設定作業を進めることができる。そのため、画質調整の操作がより簡便となる。
【００２６】
また、メモリ５６に記憶された設定値を画面１１、１２の操作に共用可能とすることでメモリ回路の縮小化を図ることができ、さらに、画面１１または１２のいずれかで調整した設定値を他方の画面で使用したい場合に、新たに調整しなおす手間を省くことができる。なお、メモリ５６は外付けのメモリであっても良い。
【００２７】
図５は、図３に示す回路において、タイミング調整により第１、第２の映像ソース２、３の画質調整を独立して行う場合のタイミングチャートを示す。なお、図５では画質調整回路５１とＣＰＵ５４によって画質調整を行う場合を示しているが、画面サイズ調整回路５２も同様のタイミング制御により２個の画面において独立した調整が可能である。
【００２８】
図５のクロック１はシステム動作クロックを示し、クロック２はクロック１の２分周クロックを示す。クロック２によって第１の映像ソース、第２の映像ソースに対する画質調整の設定の振分を行っている。図５の‘設定値’において、斜線部分ａは第１の映像ソースの画質調整設定値を示し、空白部分ｂは第２の映像ソース３の画質調整設定値を示す。
【００２９】
クロック２がハイレベルの時、第１の映像ソースのデータと設定値の斜線部分ａのデータとから第１の映像ソースの画質調整を行い、クロック２がロウレベルの時、第２の映像ソースのデータと設定値の空白部分ｂのデータとから第２の映像ソースの画質調整を行う。図の‘第１の映像ソース出力’は、第１の映像ソースデータと設定値による演算結果を示し、‘第２の映像ソース出力’は第２の映像ソースデータと設定値による演算結果を示す。
【００３０】
即ち、第１の映像ソースのデータＡ１、Ａ２、Ａ３、Ａ４・・・に対して設定値ａを演算した値Ａ１×ａ、Ａ２×ａ・・・が、第１の映像ソース出力として図５に示すタイミングで出力され、第２の映像ソースのデータＢ１、Ｂ２、Ｂ３、Ｂ４・・・に対して設定値ｂを演算した値Ｂ１×ｂ、Ｂ２×ｂ・・・が、第２の映像ソース出力として図５に示すタイミングで出力される。
【００３１】
‘第１の映像ソース出力’は図３の画質調整回路５１から出力され、表示パネル駆動回路５３の画面１１を制御し駆動するための回路に入力される。‘第２の映像ソース出力’も同様に画質調整回路５１から出力され、表示パネル駆動回路５３の画面１２を制御しかつ駆動するための回路に入力される。
【００３２】
以上の制御により、画質調整回路５１によって２個の画面１１、１２の画質が独立して制御される。ブライトネス、コントラストなどの画質調整は演算器を用いて行うもので、それぞれの演算回数が異なるため、実際のタイミングは図５に示すタイミングチャートとは若干異なったものとなるが、基本的な動作は同じである。
【図面の簡単な説明】
【００３３】
【図１】本発明の第１の実施形態にかかるマルチビュー表示装置の概略構成を示すブロック図。
【図２】表示パネルにおける表示例を示す図。
【図３】本発明の第２の実施例にかかるマルチビュー表示装置の概略構成を示すブロック図。
【図４】表示パネルにおける表示例を示す図。
【図５】図３に示す装置の動作説明のためのタイミングチャート。
【符号の説明】
【００３４】
１    マルチビュー表示パネル
２、３    第１、第２の映像ソース
４、５    表示パネル駆動部
６    外部入力装置
４１、４２    画質調整回路
４３    表示パネル駆動回路
５１    画質調整回路
５２    画面サイズ調整回路
５３    表示パネル駆動回路
５４    ＣＰＵ
５５    設定値表示回路
５６    メモリ
【図１】
2006184916.tif 000003
【図２】
2006184916.tif 000004
【図３】
2006184916.tif 000005
【図４】
2006184916.tif 000006
【図５】
2006184916.tif 000007